(57)【要約】【課題】  本発明の目的は、その時点の負荷電流に応じて、停電検出値を限界まで下げることを可能とする停電検出システム、停電検出方法、停電検出プログラム、および、無停電電源装置を提供することにある。【解決手段】  商用電源１００の電力を負荷４００に供給するために変換する電力変換回路２１０と、負荷電流値計測手段３４０と、負荷電流値に基づいて停電検出値を算出する停電検出値算出手段３３０と、停電検出値に基づいて商用電源１００の電圧値を監視して停電を検出する停電検出手段３２０とで構成する。【選択図】      図１
2008148495.tif 000002
【特許請求の範囲】
【請求項１】
負荷電流値に基づいて停電検出値を算出する停電検出値算出手段を有することを特徴とする停電検出システム。
【請求項２】
負荷電流値を計測する手段と、前記負荷電流値に基づいて停電検出値を算出する停電検出値算出手段と、入力電圧値を監視する手段と、前記停電検出値と前記入力電圧値を比較する手段と、前記比較した結果に基づいて停電を通知する停電通知手段を有することを特徴とする停電検出システム。
【請求項３】
負荷電流値を逐次計測する手段と、前記負荷電流値に基づいて停電検出値を逐次算出する停電検出値算出手段と、入力電圧値を監視する手段と、前記停電検出値と前記入力電圧値を比較する手段と、前記比較した結果に基づいて停電を通知する停電通知手段を有することを特徴とする停電検出システム。
【請求項４】
前記停電検出値算出手段は、前記負荷電流値毎に複数の種類の停電検出値を算出し、前記停電通知手段は、複数の種類の前記停電検出値のいずれにより検出されたかを識別可能な形式で停電を通知することを特徴とする請求項２、または、請求項３記載の停電検出システム。
【請求項５】
前記停電通知手段は、前記負荷電流値を合わせて通知することを特徴とする請求項２、請求項３、または、請求項４記載の停電検出システム。
【請求項６】
前記停電通知手段は、前記入力電圧値を合わせて通知することを特徴とする請求項２、請求項３、請求項４、または、請求項５記載の停電検出システム。
【請求項７】
前記停電通知手段は、前記停電検出値を合わせて通知することを特徴とする請求項２、請求項３、請求項４、請求項５、または、請求項６記載の停電検出システム。
【請求項８】
前記停電検出値算出手段は、あらかじめ定められた一定時間内の前記負荷電流値の最大値を前記負荷電流値として使用することを特徴とする請求項１、請求項２、請求項３、請求項４、請求項５、請求項６、請求項７、または、請求項８記載の停電検出システム。
【請求項９】
前記停電検出値算出手段は、前記負荷電流値に対応する前記停電検出値を格納したテーブルを有することを特徴とする請求項１，請求項２、請求項３、請求項４、請求項５、請求項６，請求項７、または、請求項８記載の停電検出システム。
【請求項１０】
請求項１，請求項２、請求項３、請求項４、請求項５、請求項６，請求項７、請求項８、または、請求項９記載の停電検出システムにより検出された停電を通知されて、蓄電池運転に切り替わる手段を有することを特徴とする無停電電源装置。
【請求項１１】
処理装置が、負荷電流値に基づいて停電検出値を算出することを特徴とする停電検出方法。
【請求項１２】
処理装置が、負荷電流値を計測し、前記負荷電流値に基づいて停電検出値を算出し、入力電圧値を監視し、前記停電検出値と前記入力電圧値を比較し、前記比較した結果に基づいて停電を通知することを特徴とする停電検出方法。
【請求項１３】
処理装置が、負荷電流値を逐次計測し、前記負荷電流値に基づいて停電検出値を逐次算出し、入力電圧値を監視し、前記停電検出値と前記入力電圧値を比較し、前記比較した結果に基づいて停電を通知することを特徴とする停電検出方法。
【請求項１４】
処理装置が、前記負荷電流値毎に複数の種類の停電検出値を算出し、複数の種類の前記停電検出値のいずれにより検出されたかを識別可能な形式で停電を通知することを特徴とする請求項１２、または、請求項１３記載の停電検出方法。
【請求項１５】
処理装置が、前記負荷電流値を合わせて通知することを特徴とする請求項１２、請求項１３、または、請求項１４記載の停電検出方法。
【請求項１６】
処理装置が、前記入力電圧値を合わせて通知することを特徴とする請求項１２、請求項１３、請求項１４、または、請求項１５記載の停電検出方法。
【請求項１７】
処理装置が、前記停電検出値を合わせて通知することを特徴とする請求項１２、請求項１３、請求項１４、請求項１５、または、請求項１６記載の停電検出方法。
【請求項１８】
処理装置が、あらかじめ定められた一定時間内の前記負荷電流値の最大値を前記負荷電流値として使用することを特徴とする請求項１１、請求項１２、請求項１３、請求項１４、請求項１５、請求項１６、請求項１７、または、請求項１８記載の停電検出方法。
【請求項１９】
処理装置が、前記負荷電流値に対応する前記停電検出値を格納したテーブルを有することを特徴とする請求項１１，請求項１２、請求項１３、請求項１４、請求項１５、請求項１６，請求項１７、または、請求項１８記載の停電検出方法。
【請求項２０】
請求項１１，請求項１２、請求項１３、請求項１４、請求項１５、請求項１６，請求項１７、請求項１８、または、請求項１９記載の停電検出方法により検出された停電を通知されて、蓄電池運転に切り替わる手段を有することを特徴とする無停電電源装置。
【請求項２１】
処理装置に、負荷電流値に基づいて停電検出値を算出する処理を行わせることを特徴とする停電検出プログラム。
【請求項２２】
処理装置に、負荷電流値を計測し、前記負荷電流値に基づいて停電検出値を算出し、入力電圧値を監視し、前記停電検出値と前記入力電圧値を比較し、前記比較した結果に基づいて停電を通知する処理を行わせることを特徴とする停電検出プログラム。
【請求項２３】
処理装置に、負荷電流値を逐次計測し、前記負荷電流値に基づいて停電検出値を逐次算出し、入力電圧値を監視し、前記停電検出値と前記入力電圧値を比較し、前記比較した結果に基づいて停電を通知する処理を行わせることを特徴とする停電検出プログラム。
【請求項２４】
処理装置に、前記負荷電流値毎に複数の種類の停電検出値を算出し、複数の種類の前記停電検出値のいずれにより検出されたかを識別可能な形式で停電を通知する処理を行わせることを特徴とする請求項２２、または、請求項２３記載の停電検出プログラム。
【請求項２５】
処理装置に、前記負荷電流値を合わせて通知する処理を行わせることを特徴とする請求項２２、請求項２３、または、請求項２４記載の停電検出プログラム。
【請求項２６】
処理装置に、前記入力電圧値を合わせて通知する処理を行わせることを特徴とする請求項２２、請求項２３、請求項２４、または、請求項２５記載の停電検出プログラム。
【請求項２７】
処理装置に、前記停電検出値を合わせて通知する処理を行わせることを特徴とする請求項２２、請求項２３、請求項２４、請求項２５、または、請求項２６記載の停電検出プログラム。
【請求項２８】
処理装置に、あらかじめ定められた一定時間内の前記負荷電流値の最大値を前記負荷電流値として使用する処理を行わせることを特徴とする請求項２１、請求項２２、請求項２３、請求項２４、請求項２５、請求項２６、請求項２７、または、請求項２８記載の停電検出プログラム。
【請求項２９】
処理装置に、前記負荷電流値に対応する前記停電検出値を格納したテーブルを有することを特徴とする請求項２１，請求項２２、請求項２３、請求項２４、請求項２５、請求項２６，請求項２７、または、請求項２８記載の停電検出プログラム。
【請求項３０】
請求項２１，請求項２２、請求項２３、請求項２４、請求項２５、請求項２６，請求項２７、請求項２８、または、請求項２９記載の停電検出プログラムにより検出された停電を通知されて、蓄電池運転に切り替わる手段を有することを特徴とする無停電電源装置。
【発明の詳細な説明】
【技術分野】
【０００１】
本発明は停電検出システム、停電検出方法、停電検出プログラム、および、無停電電源装置に関し、特に、負荷電流に応じて停電検出の閾値を制御する停電検出システム、停電検出方法、停電検出プログラム、および、無停電電源装置に関する。
【背景技術】
【０００２】
従来の技術として、図１４に示すように、交流電源１と、コンバータ２と、インバータ３と、負荷６と、蓄電池７と、サイリスタ８と、停電検出回路９とを有する無停電電源装置がある。
【０００３】
このような構成を有する従来の無停電電源装置はつぎのように動作する。停電検出回路９は、交流電源１からの入力電圧値と、停電として検出すべき電圧の閾値である停電検出値とを、常時比較している。そして、前記入力電圧値が、前記停電検出値を下回ったことを検出した場合には、サイリスタ８を制御して蓄電池７の出力をインバータ３に供給するようにする。こうして、図１４に示す従来の無停電電源装置は蓄電池駆動運転に切り替わる。以上のように構成し、停電時にも電源の供給を継続することができる無停電電源装置がある（例えば、特許文献１）。
【０００４】
【特許文献１】特開平３−５６０４７
【発明の開示】
【発明が解決しようとする課題】
【０００５】
しかしながら、これらの従来の無停電電源装置における前記停電検出値は、定格負荷を接続したときの最大消費電流に基づいてあらかじめ設定された値である。
【０００６】
したがって、前記入力電圧値の変動が、大きく、頻繁に発生する場合、前記停電検出値と前記入力電圧値を比較することにより、停電を頻繁に検出し、頻繁に蓄電池駆動運転に切り替わる。このため、蓄電池７が放電を繰り返し、満充電の状態にならないケースがある。これは、前記負荷電流が小さい状況にあるため、ある値まで入力電圧が低下しても、必要な出力電圧および出力電流を保てる場合であっても同様である。すなわち、従来の無停電電源装置では、前記停電検出値として、定格負荷を接続したときの最大消費電流に基づいた固定の値を使用しているために、前記負荷電流が小さい状況にあるにもかかわらず、無用に蓄電池駆動運転に切り替わることにより蓄電池７が放電を繰り返し、満充電の状態にならないケースがあり、前記入力電圧が長時間０Ｖとなる停電が発生した場合に、期待しているバックアップ時間を得られないという問題があった。
【０００７】
一方、蛍光灯などにおいて、電圧をステップダウンして消費電力を抑制する節電型装置などが普及している。また、レーザプリンタなどの負荷変動が激しい機器も普及している。これら、節電型装置のステップダウン動作、或いは、負荷変動が激しい機器の動作により、頻繁な入力電圧変動が発生する。この為に、従来の無停電電源装置２００は、不要な停電の発生を検出し、頻繁に蓄電池運転に切り替わる状況に陥るケースがあった。
【０００８】
本発明の目的は、その時点の前記負荷電流に応じて、前記停電検出値を限界まで下げることを可能とする停電検出システム、停電検出方法、停電検出プログラム、および、無停電電源装置を提供することにある。
【課題を解決するための手段】
【０００９】
本発明の第１の停電検出システムは、負荷電流値に基づいて停電検出値を算出する停電検出値算出手段を有する。
【００１０】
本発明の第２の停電検出システムは、負荷電流値を計測する手段と、前記負荷電流値に基づいて停電検出値を算出する停電検出値算出手段と、入力電圧値を監視する手段と、前記停電検出値と前記入力電圧値を比較する手段と、前記比較した結果に基づいて停電を通知する停電通知手段を有する。
【００１１】
本発明の第３の停電検出システムは、負荷電流値を逐次計測する手段と、前記負荷電流値に基づいて停電検出値を逐次算出する停電検出値算出手段と、入力電圧値を監視する手段と、前記停電検出値と前記入力電圧値を比較する手段と、前記比較した結果に基づいて停電を通知する停電通知手段を有する。
【００１２】
本発明の第４の停電検出システムは、前記第２、または、第３の停電検出システムに於いて、前記停電検出値算出手段は、前記負荷電流値毎に複数の種類の停電検出値を算出し、前記停電通知手段は、複数の種類の前記停電検出値を識別可能な形式で停電を通知する。
【００１３】
本発明の第５の停電検出システムは、前記第２、第３、または、第４の停電検出システムに於いて、前記停電通知手段は、前記負荷電流値を合わせて通知する。
【００１４】
本発明の第６の停電検出システムは、前記第２、第３、第４、または、第５の停電検出システムに於いて、前記停電通知手段は、前記入力電圧値を合わせて通知する。
【００１５】
本発明の第７の停電検出システムは、前記第２、第３、第４、第５、または、第６の停電検出システムに於いて、前記停電通知手段は、前記停電検出値を合わせて通知する。
【００１６】
本発明の第８の停電検出システムは、前記第１、第２、第３、第４、第５、第６、第７、または、第８の停電検出システムに於いて、前記停電検出値算出手段は、あらかじめ定められた一定時間内の前記負荷電流値の最大値を前記負荷電流値として使用する。
【００１７】
本発明の第９の停電検出システムは、前記第１，第２、第３、第４、第５、第６，第７、または、第８の停電検出システムに於いて、前記停電検出値算出手段は、前記負荷電流値に対応する前記停電検出値を格納したテーブルを有する。
【００１８】
本発明の第１の無停電電源装置は、請求項１，請求項２、請求項３、請求項４、請求項５、請求項６，請求項７、請求項８、または、請求項９記載の停電検出システムにより検出された停電を通知されて、蓄電池運転に切り替わる手段を有する。
【００１９】
本発明の第１の停電検出方法は、処理装置が、負荷電流値に基づいて停電検出値を算出する。
【００２０】
本発明の第２の停電検出方法は、処理装置が、負荷電流値を計測し、前記負荷電流値に基づいて停電検出値を算出し、入力電圧値を監視し、前記停電検出値と前記入力電圧値を比較し、前記比較した結果に基づいて停電を通知する。
【００２１】
本発明の第３の停電検出方法は、処理装置が、負荷電流値を逐次計測し、前記負荷電流値に基づいて停電検出値を逐次算出し、入力電圧値を監視し、前記停電検出値と前記入力電圧値を比較し、前記比較した結果に基づいて停電を通知する。
【００２２】
本発明の第４の停電検出方法は、前記第２、または、第３の停電検出方法に於いて、処理装置が、前記負荷電流値毎に複数の種類の停電検出値を算出し、複数の種類の前記停電検出値を識別可能な形式で停電を通知する。
【００２３】
本発明の第５の停電検出方法は、前記第２、第３、または、第４の停電検出方法に於いて、処理装置が、前記負荷電流値を合わせて通知する。
【００２４】
本発明の第６の停電検出方法は、前記第２、第３、第４、または、第５の停電検出方法に於いて、処理装置が、前記入力電圧値を合わせて通知する。
【００２５】
本発明の第７の停電検出方法は、前記第２、第３、第４、第５、または、第６の停電検出方法に於いて、処理装置が、前記停電検出値を合わせて通知する。
【００２６】
本発明の第８の停電検出方法は、前記第１、第２、第３、第４、第５、第６、第７、または、第８の停電検出方法に於いて、処理装置が、あらかじめ定められた一定時間内の前記負荷電流値の最大値を前記負荷電流値として使用する。
【００２７】
本発明の第９の停電検出方法は、前記第１，第２、第３、第４、第５、第６，第７、または、第８の停電検出方法に於いて、処理装置が、前記負荷電流値に対応する前記停電検出値を格納したテーブルを有する。
【００２８】
本発明の第２の無停電電源装置は、請求項１１，請求項１２、請求項１３、請求項１４、請求項１５、請求項１６，請求項１７、請求項１８、または、請求項１９記載の停電検出方法により検出された停電を通知されて、蓄電池運転に切り替わる手段を有する。
【００２９】
本発明の第１の停電検出プログラムは、処理装置に、負荷電流値に基づいて停電検出値を算出する処理を行わせる。
【００３０】
本発明の第２の停電検出プログラムは、処理装置に、負荷電流値を計測し、前記負荷電流値に基づいて停電検出値を算出し、入力電圧値を監視し、前記停電検出値と前記入力電圧値を比較し、前記比較した結果に基づいて停電を通知する処理を行わせる。
【００３１】
本発明の第３の停電検出プログラムは、処理装置に、負荷電流値を逐次計測し、前記負荷電流値に基づいて停電検出値を逐次算出し、入力電圧値を監視し、前記停電検出値と前記入力電圧値を比較し、前記比較した結果に基づいて停電を通知する処理を行わせる。
【００３２】
本発明の第４の停電検出プログラムは、前記第２、または、第３の停電検出プログラムに於いて、処理装置に、前記負荷電流値毎に複数の種類の停電検出値を算出し、複数の種類の前記停電検出値を識別可能な形式で停電を通知する処理を行わせる。
【００３３】
本発明の第５の停電検出プログラムは、前記第２、第３、または、第４の停電検出プログラムに於いて、処理装置に、前記負荷電流値を合わせて通知する処理を行わせる。
【００３４】
本発明の第６の停電検出プログラムは、前記第２、第３、第４、または、第５の停電検出プログラムに於いて、処理装置に、前記入力電圧値を合わせて通知する処理を行わせる。
【００３５】
本発明の第７の停電検出プログラムは、前記第２、第３、第４、第５、または、第６の停電検出プログラムに於いて、処理装置に、前記停電検出値を合わせて通知する処理を行わせる。
【００３６】
本発明の第８の停電検出プログラムは、前記第１、第２、第３、第４、第５、第６、第７、または、第８の停電検出プログラムに於いて、処理装置に、あらかじめ定められた一定時間内の前記負荷電流値の最大値を前記負荷電流値として使用する処理を行わせる。
【００３７】
本発明の第９の停電検出プログラムは、前記第１，第２、第３、第４、第５、第６，第７、または、第８の停電検出プログラムに於いて、処理装置に、前記負荷電流値に対応する前記停電検出値を格納したテーブルを有する。
【００３８】
本発明の第３の無停電電源装置は、請求項２１，請求項２２、請求項２３、請求項２４、請求項２５、請求項２６，請求項２７、請求項２８、または、請求項２９記載の停電検出プログラムにより検出された停電を通知されて、蓄電池運転に切り替わる手段を有する。
【発明の効果】
【００３９】
本発明によれば、前記入力電圧の変動が激しい環境においても、不要な停電の検出を防止することが可能になる。その理由は、入力電源の電圧の変動が発生しても、その時点の前記負荷電流に応じて、前記停電検出値を下げることができるようにしたためである。
【発明を実施するための最良の形態】
【００４０】
次に、本発明を実施するための最良の形態について図面を参照して詳細に説明する。
【００４１】
図１を参照すると、本発明の第１の実施の形態は、商用電源１００と、無停電電源装置３００と、負荷４００とで構成されている。
【００４２】
無停電電源装置３００は、電力変換回路２１０と、停電検出手段３２０と、停電検出値算出手段３３０と、負荷電流値計測手段３４０とで構成されている。
【００４３】
電力変換回路２１０は、整流器２０１と、インバータ２０２と、スイッチ２０３と、充電器２０４と、蓄電池２０５とを含む。
【００４４】
無停電電源装置３００は、商用電源１００から出力される商用交流電力を入力し、前記商用交流電力を変換して変換交流電力とし、前記変換交流電力を負荷４００に対して出力する。尚、本明細書では、一般的である商用電源を使用しているが、自家発電電源でも、その他の電源でも良い。
【００４５】
負荷４００は、無停電電源装置３００から出力される前記変換交流電力を入力し、内部の動作により増減する所要に応じた電力の供給を受ける。
【００４６】
電力変換回路２１０は、商用電源１００から出力される前記商用交流電力を入力し、整流器２０１により直流電力に変換し、インバータ２０２に供給する。スイッチ２０３は、停電検出手段３２０の指示により蓄電池２０５の出力電力をインバータ２０２に供給する。インバータ２０２は、前記直流電力あるいは蓄電池２０５からの前記出力電力を交流電力に変換し、前記変換交流電力として出力する。充電器２０４は、蓄電池２０５に充電するための充電電流を供給する。尚、本明細書で示す電力変換回路２１０は、無停電電源装置３００に組み込まれた基本的な形態のものを使用しているが、独立した装置であっても良いし、負荷に組み込まれているものでも良いし、複数台存在しても良いし、本明細書に示さない付加的な機能を持つものであっても良い。
【００４７】
停電検出手段３２０は、商用電源１００から出力し、無停電電源装置３００の電力変換回路２１０に入力する入力電力の入力電圧値を監視する。そして、停電検出手段３２０は、停電検出値算出手段３３０から入力した前記停電検出値と前記入力電圧値とを比較する。そして、停電検出手段３２０は、前記入力電圧値が、前記停電検出値を下回っていることを検出した場合には、停電信号をオンにする。また、停電検出手段３２０は、前記入力電圧値が、前記停電検出値を下回っていないことを検出した場合には、停電信号をオフにして、電力変換回路２１０に対して停電の状態を通知する。尚、停電検出手段３２０は、ハードウェアで実現しても良いし、マイコン制御のプログラムで実現しても良い。これらの実現方法は、停電検出のための物理的なセンサー部分を含めて周知の技術であるため、本明細書には詳細な説明は記載しない。
【００４８】
停電検出値算出手段３３０は、負荷電流値計測手段３４０から、負荷電流値を入力し、前記負荷電流値に対応する前記停電検出値を算出して、停電検出手段３２０に対して出力する。尚、停電検出値算出手段３３０は、ハードウェアで実現しても良いし、マイコン制御のプログラムで実現しても良い。
【００４９】
負荷電流値計測手段３４０は、前記負荷電流値を計測し、前記負荷電流値を停電検出値算出手段３３０に出力する。尚、負荷電流値計測手段３４０は、ハードウェアで実現しても良いし、マイコン制御のプログラムで実現しても良い。これらの実現方法は、電流値計測のための物理的なセンサー部分を含めて周知の技術であるため、本明細書には詳細な説明は記載しない。
【００５０】
次に、本発明の第１の実施の形態の動作について、具体的な実施例を示して詳細に説明する。
【００５１】
本実施例においては、負荷４００の最大定格電流は『１５［Ａ（アンペア）］』であるとする。また、商用電源１００の電圧は『１００［Ｖ（ボルト）］』であるとする。
【００５２】
図２は、停電検出値算出手段３３０の有する、前記負荷電流値と、前記停電検出値との対応を格納した、テーブル３３１の格納イメージを示す図である。
【００５３】
まず、前記入力電圧値が低下して、停電通知が発生する場合の動作の例を説明する。ある時点において、負荷電流値計測手段３４０は、前記負荷電流値が『１３［Ａ］』であることを計測し、これを停電検出値算出手段３３０に出力する（ステップＳ５０１）。停電検出値算出手段３３０は、入力した前記負荷電流値『１３［Ａ］』から、図２に示すテーブル３３１を参照して、前記停電検出値『７３［Ｖ］』を算出し、これを停電検出手段３２０に出力する（ステップＳ５０２）。
【００５４】
停電検出手段３２０は、前記入力電圧値が『７０［Ｖ］』であることを計測する（ステップＳ５０３）。そして、停電検出手段３２０は、前記停電検出値『７３［Ｖ］』と、前記入力電圧値『７０［Ｖ］』を比較し、前記入力電圧値が前記停電検出値を下回っていることを検出する（ステップＳ５０４）。そして、停電検出手段３２０は、停電信号をオンにする（ステップＳ５０５）。
【００５５】
次に、前記入力電圧値が低下したが、停電通知が発生しない場合の動作の例を説明する。ある時点において、負荷電流値計測手段３４０は、前記負荷電流値が『１２［Ａ］』であることを計測し、これを停電検出値算出手段３３０に出力する（ステップＳ５０１）。停電検出値算出手段３３０は、入力した前記負荷電流値『１２［Ａ］』から、図２に示すテーブル３３１を参照して、前記停電検出値『６７［Ｖ］』を算出し、これを停電検出手段３２０に出力する（ステップＳ５０２）。
【００５６】
停電検出手段３２０は、前記入力電圧値が『７０［Ｖ］』であることを計測する（ステップＳ５０３）。そして、停電検出手段３２０は、前記停電検出値『６７［Ｖ］』と、前記入力電圧値『７０［Ｖ］』を比較し、前記入力電圧値が前記停電検出値を下回っていないことを検出する（ステップＳ５０４）。そして、停電検出手段３２０は、前記停電信号をオフにする（ステップＳ５０６）。
【００５７】
本実施例においては、ステップＳ５０１からステップＳ５０５、あるいは、ステップＳ５０６までの処理を常時繰り返す。
【００５８】
こうして、本実施例では、前記入力電圧値と前記停電検出値とを比較し、前記入力電圧値が前記停電検出値を下回っているか否かを、前記停電信号により、電力変換回路２１０に通知する。電力変換回路２１０のスイッチ２０３は、前記停電信号がオンの場合は、蓄電池２０５の前記出力電力と整流器２０１からの前記直流電力出力との合計をインバータ２０２に供給し、前記停電信号がオフの場合は、整流器２０１の前記直流電力出力をインバータ２０２に供給する。
【００５９】
本発明の第１の実施の形態によれば、前記負荷電流値に応じた前記停電検出値をあらかじめ設定し、前記負荷電流値が大きい場合は高い前記停電検出値で、前記負荷電流が小さい場合は低い前記停電検出値で停電を検出することができるようにしたことにより、頻繁な商用電源１００の変動が発生する環境でも、蓄電池駆動運転を抑制し、蓄電池２０５の放電回数を抑制して、万一の長時間停電の場合に期待されるバックアップ時間を確保することが可能になるという効果を有している。
【００６０】
次に、本発明の第２の実施の形態について図面を参照して詳細に説明する。
【００６１】
図４を参照すると、本発明の第２の実施の形態は、測定手段５０１と、出力装置５０２と、処理装置５１０と、記憶装置５２０とから構成される。
【００６２】
処理装置５１０は、監視手段５１１、計測手段５１２、算出手段５１３、比較手段５１４、および、通知手段５１５を有する。記憶装置５２０は、入力電圧値記憶部５２１、負荷電流値記憶部５２２、負荷電流最大値記憶部５２３、テーブル記憶部５２４、停電検出値記憶部５２５、および、停電状態記憶部５２７を有する。
【００６３】
図５は、入力電圧値記憶部５２１の格納イメージを示す。図６は、負荷電流値記憶部５２２の格納イメージを示す。負荷電流値記憶部５２２は、複数の前記負荷電流値を格納可能なリングバッファにより構成され、ポインタ（図示しない）で指されるアドレスに前記負荷電流値を書き込み、書き込み後にポインタを更新する。図７は、テーブル記憶部５２４の格納イメージを示す。図８は、停電検出値記憶部５２５の格納イメージを示す。図９は、停電状態記憶部５２７の格納イメージを示す。図１０は、負荷電流最大値記憶部５２３の格納イメージを示す。
【００６４】
以下の説明において、停電Ａとは、負荷（図示しない）が必要とする電力を供給し得ない前記入力電圧値である状態を示し、停電Ｂとは、低下はしているが、負荷（図示しない）が必要とする電力を供給することは可能な前記入力電圧値である状態を示す。
【００６５】
測定手段５０１は、前記入力電圧値を測定し、監視手段５１１に出力する。測定手段５０１は、負荷（図示しない）が消費する前記負荷電流値を測定し、計測手段５１２に出力する。
【００６６】
監視手段５１１は、前記入力電圧値を入力し、図５に示す入力電圧値記憶部５２１に格納する。
【００６７】
計測手段５１２は、前記負荷電流値を入力し、図６に示す負荷電流値記憶部５２２に格納する。
【００６８】
算出手段５１３は、負荷電流値記憶部５２２から最大の前記負荷電流値を読み取り、図７に示すテーブル記憶部５２４を参照して、前記負荷電流値に対応する停電Ａ検出値、および、停電Ｂ検出値を読み出す。そして、算出手段５１３は、前記停電Ａ検出値、および、前記停電Ｂ検出値を図８に示す停電検出値記憶部５２５に格納する。また、算出手段５１３は、前記負荷電流値を図１０に示す負荷電流最大値記憶部５２３に格納する。
【００６９】
比較手段５１４は、図５に示す入力電圧値記憶部５２１から読み取った前記入力電圧値と、図８に示す停電検出値記憶部５２５から読み取った前記停電Ａ検出値、および、前記停電Ｂ検出値とを比較し、停電Ａ状態、停電Ｂ状態、または、非停電状態の停電情報を得る。
【００７０】
そして、比較手段５１４は、前記停電情報として前記停電Ａ状態を得た場合であって、図９に示す停電状態記憶部５２７の前記停電状態が停電Ａ状態であれば何もせず、前記停電状態が停電Ｂ状態であれば通知手段５１５に停電Ａ状態発生を出力し、前記停電状態が非停電状態であれば通知手段５１５に停電Ａ状態発生を出力する。
【００７１】
また、比較手段５１４は、前記停電情報として前記停電Ｂ状態を得た場合であって、図９に示す停電状態記憶部５２７の前記停電状態が停電Ａ状態であれば通知手段５１５に停電Ｂ状態発生を出力し、前記停電状態が停電Ｂ状態であれば何もせず、前記停電状態が非停電状態であれば通知手段５１５に停電Ｂ状態発生を出力する。
【００７２】
また、比較手段５１４は、前記停電情報として前記非停電状態を得た場合であって、図９に示す停電状態記憶部５２７の前記停電状態が停電Ａ状態であれば通知手段５１５に停電状態解除を出力し、前記停電状態が停電Ｂ状態であれば通知手段５１５に停電状態解除を出力し、前記停電状態が非停電状態であれば何もしない。
【００７３】
また、比較手段５１４は、前記停電情報を前記停電状態として、図９に示す停電状態記憶部５２７に格納する。
【００７４】
通知手段５１５は、比較手段５１４から前記停電Ａ状態発生、前記停電Ｂ状態発生、または、前記停電状態解除を入力すると、図５に示す入力電圧値記憶部５２１、図８に示す停電検出値記憶部５２５、および、図１０に示す負荷電流最大値記憶部５２３を参照して図１１に示す停電Ａ通知、停電Ｂ通知、または、停電解除通知を生成し、出力装置５０２に出力する。
【００７５】
出力装置５０２は、前記停電Ａ通知、前記停電Ｂ通知、または、前記停電解除通知を入力すると、電力変換回路（図示しない）へ送信し、ディスプレイ（図示しない）に表示し、保守端末（図示しない）へ送信し、負荷を構成する装置（図示しない）へ送信し、あるいは、オペレータに通知する手段（図示しない）に送信する。
【００７６】
次に、本発明の第２の実施の形態の動作について、具体的な実施例を示して詳細に説明する。以下では、一例として、前記停電Ｂ状態から前記停電Ａ状態へ遷移する場合を説明する。
【００７７】
図１２は、本発明の第２の実施の形態における、処理装置５１０の内の特に計測手段５１２の動作を示すフローチャートである。
【００７８】
計測手段５１２は、測定手段５０１から前記負荷電流値を入力し、図６に示す負荷電流値記憶部５２２に格納する（ステップＳ６０１）。計測手段５１２は、他の手段とは非同期に、インターバルタイマ（図示しない）、あるいは、測定手段５０１からの割り込み（図示しない）を契機に図１２のフローで示す処理を繰り返している。
【００７９】
図１３は、本発明の第２の実施の形態における、処理装置５１０の全体の動作を示すフローである。
【００８０】
監視手段５１１は、測定手段５０１から前記入力電圧値『８０』を入力し、図５に示す入力電圧値記憶部５２１に格納する（ステップＳ６１０）。監視手段５１１のステップＳ６１０の処理は、インターバルタイマ（図示しない）、あるいは、測定手段５０１からの割り込み（図示しない）を契機に開始する。
【００８１】
算出手段５１３は、負荷電流値記憶部５２２から最大の前記負荷電流値『１４』を読み取り、図１０に示す負荷電流最大値記憶部５２３に格納する（ステップＳ６１１）。次に、算出手段５１３は、図７に示すテーブル記憶部５２４を参照して、前記負荷電流値『１４』に対応する停電Ａ検出値『８１』、および、停電Ｂ検出値『８６』を読み出す。そして、算出手段５１３は、前記停電Ａ検出値『８１』、および、前記停電Ｂ検出値『８６』を図８に示す停電検出値記憶部５２５に格納する（ステップＳ６１２）。
【００８２】
比較手段５１４は、図５に示す入力電圧値記憶部５２１から読み取った前記入力電圧値『８０』と、図８に示す停電検出値記憶部５２５から読み取った前記停電Ａ検出値『８１』、および、前記停電Ｂ検出値『８６』とを比較する。そして、比較手段５１４は、前記入力電圧値が前記停電Ａ検出値以下であるので『停電Ａ状態』の前記停電情報を得る。また、比較手段５１４は、前記入力電圧値が前記停電Ａ検出値を超えており、前記停電検出値Ｂ以下の場合は『停電Ｂ状態』の前記停電情報を得る。また、比較手段５１４は、前記入力電圧値が前記停電Ｂ検出値を超えている場合は『非停電状態』の前記停電情報を得る。（ステップＳ６１３）。
【００８３】
次に、比較手段５１４は、前記停電情報として『停電Ａ状態』を得たのでステップＳ６１６へ進み、図９に示す停電状態記憶部５２７の停電状態を参照すると『停電Ｂ状態』であるため、通知手段５１５に『停電Ａ状態発生』を出力し、停電状態記憶部５２７に『停電Ａ状態』を格納する（ステップＳ６１６）。
【００８４】
比較手段５１４は、前記停電情報として『停電Ｂ状態』を得た場合はステップＳ６１５へ進み、図９に示す停電状態記憶部５２７の停電状態を参照して対応する操作を実行する（ステップＳ６１５）。
【００８５】
比較手段５１４は、前記停電情報として『非停電状態』を得た場合はステップＳ６１４へ進み、図９に示す停電状態記憶部５２７の停電状態を参照して対応する操作を実行する（ステップＳ６１４）。
【００８６】
通知手段５１５は、比較手段５１４から『停電Ａ状態発生』を入力し、図５に示す入力電圧値記憶部５２１の前記入力電圧値『８０』、図８に示す停電検出値記憶部５２５の停電Ａ検出値『８１』、停電Ｂ検出値『８６』、および、図１０に示す負荷電流最大値記憶部５２３の負荷電流最大値『１４』を参照して図１１に示す停電Ａ通知を生成し、出力装置５０２に出力する（ステップ６１９）。
【００８７】
通知手段５１５は、比較手段５１４から『停電Ｂ状態発生』を入力した場合は、対応する停電Ｂ通知を生成し、出力装置５０２に出力する（ステップ６１８）。
【００８８】
通知手段５１５は、比較手段５１４から『停電状態解除』を入力した場合は、対応する停電解除通知を生成し、出力装置５０２に出力する（ステップ６１７）。
【００８９】
本発明の第２の実施の形態によれば、前記停電検出値の算出を一定時間内の前記負荷電流値の最大の値を使用するようにしたことにより、また、予備警告に当たる停電Ｂ検出値を設けたことにより、前記入力電圧値や前記負荷電流値の急激な変化が発生しても確実に蓄電池運転に切り替わることを保証できるという効果を有している。
【００９０】
さらに、本発明の第２の実施の形態によれば、停電状態に合わせて、前記負荷電流値、前記停電検出値、前記入力電圧値を通知するようにしたことにより、負荷の装置群や環境の問題を解析することが可能になるという効果を有している。
【００９１】
次に本発明の第３の実施の形態について図面を参照して詳細に説明する。第３の実施の形態では、図１に示すブロック図の構成の無停電電源装置３００、または、図４に示すブロック図の構成の処理装置５１０と、無停電電源装置３００、または、処理装置５１０に処理を行わせる図示しないプログラムを有する。
【００９２】
前記プログラムは、本発明の第１、第２の実施の形態において図３、図１２、および、図１３のフローチャートを用いて説明した機能を実現する。
【００９３】
前記プログラムは、図示しない記憶手段に格納され、無停電電源装置３００、または、処理装置５１０に読み込まれ、実行され、無停電電源装置３００、または、処理装置５１０の動作を制御する。無停電電源装置３００、または、処理装置５１０は前記プログラムの制御により第１の実施の形態、または、第２の実施の形態における無停電電源装置３００、または、処理装置５１０の処理と同一の処理を実行する。
【００９４】
本発明の第３の実施の形態によれば、ハードウェアとソフトウェアとの協働により処理を実行するので、実現が容易であるという効果を持つ。
【産業上の利用可能性】
【００９５】
本発明は、一般的なインバータタイプ（オンラインタイプ）の無停電電源装置に適用できる。また、本発明は、コンピュータシステムの運用管理に適用できる。
【図面の簡単な説明】
【００９６】
【図１】本発明の第１実施の形態の構成を示すブロック図である。
【図２】本発明の第１の実施の形態におけるテーブルの構造を示す図である。
【図３】本発明の第１の実施の形態における動作を示すフローチャートである。
【図４】本発明の第２実施の形態の構成を示すブロック図である。
【図５】本発明の第２の実施の形態における入力電圧値記憶部の構造を示す図である。
【図６】本発明の第２の実施の形態における負荷電流値記憶部の構造を示す図である。
【図７】本発明の第２の実施の形態におけるテーブル記憶部の構造を示す図である。
【図８】本発明の第２の実施の形態における停電検出値記憶部の構造を示す図である。
【図９】本発明の第２の実施の形態における停電状態記憶部の構造を示す図である。
【図１０】本発明の第２の実施の形態における負荷電流最大値記憶部の構造を示す図である。
【図１１】本発明の第２の実施の形態における通知の構造を示す図である。
【図１２】本発明の第２の実施の形態における動作を示すフローチャートである。
【図１３】本発明の第２の実施の形態における動作を示すフローチャートである。
【図１４】従来の無停電電源装置の構成を示すブロック図である。
【符号の説明】
【００９７】
１    交流電源
２    コンバータ
３    インバータ
６    負荷
７    蓄電池
８    サイリスタ
９    停電検出回路
１００    商用電源
２０１    整流器
２０２    インバータ
２０３    スイッチ
２０４    充電器
２０５    蓄電池
２１０    電力変換回路
３００    無停電電源装置
３２０    停電検出手段
３３０    停電検出値算出手段
３３１    テーブル
３４０    負荷電流値計測手段
４００    負荷
５０１    測定手段
５０２    出力装置
５１０    処理装置
５１１    監視手段
５１２    計測手段
５１３    算出手段
５１４    比較手段
５１５    通知手段
５２０    記憶装置
５２１    入力電圧値記憶部
５２２    負荷電流値記憶部
５２３    負荷電流最大値記憶部
５２４    テーブル記憶部
５２５    停電検出値記憶部
５２７    停電状態記憶部
【図１】
2008148495.tif 000003
【図２】
2008148495.tif 000004
【図３】
2008148495.tif 000005
【図４】
2008148495.tif 000006
【図５】
2008148495.tif 000007
【図６】
2008148495.tif 000008
【図７】
2008148495.tif 000009
【図８】
2008148495.tif 000010
【図９】
2008148495.tif 000011
【図１０】
2008148495.tif 000012
【図１１】
2008148495.tif 000013
【図１２】
2008148495.tif 000014
【図１３】
2008148495.tif 000015
【図１４】
2008148495.tif 000016